(57)【要約】【課題】インストールされた制御システムに対応して、容易に操作スイッチに付与された識別記号の交換を可能としながら、操作型表示器の防水性能の維持を可能とする構造を備える操作型表示器を提供する。【解決手段】このプログラマブル表示器１００は、ケース本体１１０を備え、上部筐体１２０の表面には、矩形の操作領域１４０が設けられ、この操作領域１４０の中央に、グラフィック表示画面１４３が配置されている。グラフィック表示画面１４３の左右両側には、操作スイッチ１４１ａが上下方向に複数配列されている。上部筐体１２０の下底１２０ｄ側の左右両側のそれぞれには、識別表示シート２００を交換可能に出し入れするための挿入孔１２１が設けられている。【選択図】図２
2009099260.tif 000002
【特許請求の範囲】
【請求項１】
操作スイッチ群(141)を含む操作領域(140)を、ケース本体(110)の表面に有する操作装置であって、
前記操作スイッチ群(141)は、
前記ケース本体(110)の表面に複数配列されたメンブレン型の操作スイッチ(141a)と、
前記操作スイッチ(141a)の表面と所定の隙間(S)を隔てて配置され、それぞれの前記操作スイッチ(141a)に対向する領域に透明窓部(142a)が設けられたカバーシート(142)と、
前記ケース本体(110)に設けられた挿入孔(121)から、前記操作スイッチ(141a)の表面と前記カバーシート(142)との間に形成される前記隙間(S)に挿入される薄膜シート(220)、および、前記薄膜シート(220)に連結され、前記薄膜シート(220)を前記隙間(S)に挿入した状態において前記挿入孔(121)を塞ぐキャップ(21)を有する識別表示シート(200)と、
を備える、操作装置。
【請求項２】
前記薄膜シート(220)には、前記カバーシート(142)に設けられた前記透明窓部(142a)に対向する位置にそれぞれ識別表示領域(221)が設けられる、請求項１に記載の操作装置。
【請求項３】
前記操作領域(140)は、中央にグラフィック表示画面(143)を含み、前記グラフィック表示画面(143)の左右両側に、前記操作スイッチ群(141)が配列され、
前記ケース本体(110)の下底(120d)側の左右両側のそれぞれに、前記薄膜シート(220)を挿入するための前記挿入孔(121)が設けられる、請求項１または２に記載の操作装置。
【請求項４】
前記ケース本体(110)の内部には、前記挿入孔(121)から挿入された前記薄膜シート(220)を、前記隙間(S)に案内するためのガイド領域（122,132,133)が設けられる、請求項１から３のいずれかに記載の操作装置。
【発明の詳細な説明】
【技術分野】
【０００１】
本発明は、操作装置に関し、防水機能および防塵機能を備える操作装置の構造の改良に関する。
【背景技術】
【０００２】
操作装置の一種に、プログラマブル表示器がある。このプログラマブル表示器は、ホストコントローラ（ＰＬＣ、インバータ、温調計等）とのインターフェースを備えており、ホストコントローラに接続されたデバイスの稼働状況を表示したり、デバイスへの制御指示を与えるための操作入力を画面から受け付けたりする機能を備えている。
【０００３】
一般に、プログラマブル表示器は、グラフィック表示画面を有し、画面上において、操作盤、スイッチ、表示灯などを表示することができ、制御システムにおける操作端末としての役割を果たす。また、表示画面の周囲には、複数のメンブレン型の操作スイッチが配置されている。
【０００４】
このようなプログラマブル表示器で表示される画面は、制御システムの仕様に応じて、画面作成ソフトウェア（画面エディタ）をインストールしたコンピュータ（エディタコンピュータ）を用いてユーザ独自で作成できるようになっている。画面作成に際しては、ユーザが、パーソナルコンピュータ等において画面エディタによって提供される部品、描画機能等を用いて所望の画面を構成する。
【０００５】
また、複数の操作スイッチは、制御システムに対応して異なる機能の選択が可能である。個々の操作スイッチの表面には、他の操作スイッチと区別するために、英数字等の識別記号が予め記入(印刷）されている。
【０００６】
近年、上記プログラマブル表示器等の操作装置は、製造現場における作業者の安全性確保の観点から、製造装置を遠隔操作する場合に多く用いられる。生産現場における使用においては、その環境（例えば工作機械からの切削油および切削屑の飛散、洗浄ラインにおける洗浄液等の飛散）から操作装置を保護するために、防水機能および防塵機能を備えている。
【０００７】
上記構成からなる操作装置においては、上記したように、複数の操作スイッチが設けられ、予め英数字等の識別記号が記入されている。しかし、この識別記号から、インストールされた制御システムにおける操作スイッチに付与された機能を、直接的に読み取ることはできない。そのため、操作装置の作業現場においては、個々の操作スイッチの上に、その操作スイッチに付与された機能を記載した識別シール等を貼着することで、その操作スイッチに付与された機能を直接的に認識できるようにしている。
【０００８】
しかし、上記のように、操作スイッチの上に識別シール等を貼着した場合、生産現場における使用に際しては、容易に識別シール等が剥がれてしまうという問題がある。また、強固に識別シール等を貼着した場合には、その識別シール等を剥すことができない等の問題が生じ、新たに制御システムをインストールし、新たな機能が操作スイッチに付与された場合には、問題が生じることになる。
【０００９】
なお、上記構成を備える操作装置を開示するものとして、下記特許文献１が挙げられる。
【特許文献１】特開２００３−０８７９５７号公報
【発明の開示】
【発明が解決しようとする課題】
【００１０】
本発明が解決しようとする課題は、防水機能を備える操作装置において、インストールされた制御システムにおける操作スイッチに付与された機能を、操作スイッチに予め付与された識別記号からは、直接的に読み取ることができない点にある。
【００１１】
したがって、この発明の目的は、インストールされた制御システムにおける操作スイッチに付与された機能を直接的に読み取ることができるとともに、インストールされた制御システムに対応して、容易に操作スイッチに付与された識別記号の交換を可能としながら、操作装置の防水機能および防塵機能の維持を可能とする構造を備える操作装置を提供することにある。
【課題を解決するための手段】
【００１２】
この発明に基づいた操作装置においては、操作スイッチ群を含む操作領域を、ケース本体の表面に有する操作装置であって、上記操作スイッチ群は、上記ケース本体の表面に複数配列されたメンブレン型の操作スイッチと、上記操作スイッチの表面と所定の隙間を隔てて配置され、それぞれの上記操作スイッチに対向する領域に透明窓部が設けられたカバーシートと、上記ケース本体に設けられた挿入孔から、上記操作スイッチの表面と上記カバーシートとの間に形成される上記隙間に挿入される薄膜シート、および、上記薄膜シートに連結され、上記薄膜シートを上記隙間に挿入した状態において上記挿入孔を塞ぐキャップを有する識別表示シートとを備えている。
【発明の効果】
【００１３】
この発明に基づいた操作装置によれば、薄膜シートを操作スイッチの表面とカバーシートとの間の隙間に挿入した状態において、薄膜シートのカバーシートの透明窓部に対向する位置に、インストールされた制御システムに対応する操作スイッチに付与された機能を表示しておくことで、透明窓部からその機能を直接的に視認することができるため、操作装置の利用者における利便性を向上させることができる。
【００１４】
また、薄膜シートは、カバーシートにより覆われていることから、使用環境が厳しい場合であっても、操作スイッチに付与された機能を直接的に確認することができる。また、異なる制御システムがインストールされた場合であっても、薄膜シートは容易に交換することができるため、新たに付与された操作スイッチの表示を容易に変更することができる。
【００１５】
さらに、本発明の識別表示シートは、薄膜シートに連結され、薄膜シートを隙間に挿入した状態において挿入孔を塞ぐキャップを有することから、挿入孔における防水機能および防塵機能を確保しながら、容易に識別表示シートの交換を行なうことができる。
【００１６】
また、キャップを本体に挿入し固定することで、本体と薄膜シートとの間の位置決めも確実に行なわれ、透明窓部と薄膜シートに記載された操作スイッチの機能表示との間の位置決めも確実に実現させることができる。
【発明を実施するための最良の形態】
【００１７】
（プログラマブル表示器１００の構造）
以下、この発明に基づいた実施の形態における操作装置の構造について、図を参照しながら説明する。まず、図１から図４を参照して、本実施の形態における操作装置の一例として、ハンディタイプのプログラマブル表示器について説明する。なお、図１は、本実施の形態におけるプログラマブル表示器１００の使用状態を示す全体斜視図であり、図２は、本実施の形態におけるプログラマブル表示器１００の外観構成を示す全体斜視図である。また、図３は、プログラマブル表示器１００において、カバーシート１４２を取り外し、一方の識別表示シート２００を抜き出した状態での外観構成を示す全体斜視図であり、図４は、プログラマブル表示器１００において、カバーシート１４２を取り外し、両方の識別表示シート２００を抜き出した状態での外観構成を示す全体斜視図である。
【００１８】
図１に示すように、本実施の形態におけるプログラマブル表示器１００は、中央にタッチパネルからなるグラフィック表示画面１４３が設けられている。使用者は、例えば左手１Ｌで、本プログラマブル表示器１００の側面を保持し、右手１Ｒによりタッチペン３００を用いて、グラフィック表示画面１４３上にて、装置の制御等を行なう。
【００１９】
図２に示すように、プログラマブル表示器１００は、上部筐体１２０および下部筐体１３０を有するケース本体１１０を備えている。上部筐体１２０の表面には、矩形の操作領域１４０が設けられ、この操作領域１４０の中央に、グラフィック表示画面１４３が配置されている。グラフィック表示画面１４３の左右両側には、メンブレン型の操作スイッチ１４１ａが上下方向に複数配列されている。操作領域１４０の上部側には、非常停止スイッチ１５０が配置されている。また、上部筐体１２０の下底１２０ｄ側の左右両側のそれぞれには、後述において説明する識別表示シート２００を交換可能に出し入れするための挿入孔１２１が開けられている。
【００２０】
操作領域１４０は、全体としてカバーシート１４２により覆われており、それぞれの操作スイッチ１４１ａが配置された位置に設けられる透明窓部１４２ａと、グラフィック表示画面１４３が配置された位置に設けられる透明窓部１４２ｂとを有している。
【００２１】
図３および図４のカバーシート１４２を取り外した状態において示すように、カバーシート１４２の下方の上部筐体１２０には、透明窓部１４２ａに対向する位置に、複数のメンブレン型の操作スイッチ１４１ａが配設され、また、透明窓部１４２ｂに対向する位置にグラフィック表示画面本体１４３ａが配設されている。
【００２２】
（識別表示シート２００の構造）
次に、図５から図８を参照して、識別表示シート２００の構造について説明する。なお、図５は、識別表示シート２００の構造を示す全体斜視図であり、図６は、キャップ２１０と薄膜シート２２０とを分離した状態での識別表示シート２００の構造を示す全体斜視図である。また、図７は、図６中のＶＩＩ線矢視におけるキャップ２１０の断面図であり、図８は、図６中のＶＩＩＩ線矢視におけるキャップ２１０の断面図である。
【００２３】
（識別表示シート２００）
この識別表示シート２００は、キャップ２１０と薄膜シート２２０とを有している。本実施の形態における薄膜シート２２０は、ポリカーボネート等を用いた透明樹脂製の細長形状のメンブレンシートを有し、このメンブレンシートの表面に、上述したカバーシート１４２に設けられた透明窓部１４２ａに対向する位置に複数の識別表示領域２２１が設けられている。この識別表示領域２２１としては、白色の印刷領域から構成され、使用者は、対応するファンクションキースイッチに付与された機能を後から記入することができるようになっている。一例としては、予め用意されたシールの貼着や、プリンタを用いた印字が挙げられる。
【００２４】
薄膜シート２２０の後端部には、キャップ２１０に連結させるための係合穴２２０ａ，２２０ｂが設けられ、また、先端部には、挿入孔１２１に対して容易に挿入することができるように、Ｒ形状等からなる面取領域２２０ｃが設けられている。
【００２５】
（キャップ２１０）
キャップ２１０は、本体部２１１と、この本体部２１１を挿入孔１２１に嵌め入れた際に、挿入孔１２１からケース本体１１０内部への水分、粉塵等の侵入を阻止するために、挿入孔１２１の開口よりも大きく外方に張り出すフランジ部２１２と、本体部２１１の全周に設けられた凹凸部２１３とが設けられている。これにより、凹凸部２１３が、挿入孔１２１を構成する上部筐体１２０の壁部に食い込むとともに、挿入孔１２１をフランジ部２１２で覆うことができるため、キャップ２１０により挿入孔１２１が気密的に塞がれ、挿入孔１２１における防水機能および防塵機能を高めることができる。
【００２６】
また、キャップ２１０には、薄膜シート２２０の係合穴２２０ａ，２２０ｂに係合する係合爪２１４，２１５が設けられている。図６、図７および図８に示すように、係合爪２１４は中央に１箇所下方に向かうように設けられ、係合爪２１５は、係合爪２１４の両側に合計２箇所上方に向かうように設けられている。係合爪２１４，２１５のそれぞれの長さは、側面視において重なり合う長さとなっている。
【００２７】
これにより、係合爪２１４，２１５が、係合穴２２０ａ，２２０ｂに交互に嵌り合うことで、薄膜シート２２０が、キャップ２１０に係止されることになる。また、薄膜シート２２０を少し変形させることで、係合爪２１４，２１５から薄膜シート２２０を外すことができ、薄膜シート２２０の交換を容易にすることができる。なお、薄膜シート２２０の交換を不要とする場合には、キャップ２１０に対し、薄膜シート２２０を、接着剤等を用いて固着させることも可能である。
【００２８】
（ケース本体１１０の内部構造）
次に、図９および図１０を参照して、挿入孔１２１周りにおけるケース本体１１０の内部構造について説明する。なお、図９は、識別表示シート２００を取り外した状態における、挿入孔１２１周りにおけるケース本体１１０の内部構造を示す断面図であり、図２中ＩＸ線矢視断面に従った断面である。また、図１０は、識別表示シート２００を装着した状態における、挿入孔１２１周りにおけるケース本体１１０の内部構造を示す断面図である。
【００２９】
図９に示すように、挿入孔１２１周りにおけるケース本体１１０の内部の表面においては、操作スイッチ１４１ａが、ケース本体１１０のベース部材１３３上に載置され、また、操作スイッチ１４１ａの上方には、カバーシート１４２が配設されている。操作スイッチ１４１ａの表面とカバーシート１４２との間には、所定の隙間Ｓが形成されている。この所定の隙間Ｓは、薄膜シート２２０を挿入することができる厚さであれば良い。本本実施の形態の場合、薄膜シート２２０の厚さは、約０．２ｍｍであり、隙間Ｓは、０．５ｍｍから１ｍｍ程度であれば良い。
【００３０】
また、挿入孔１２１周りにおけるケース本体１１０においては、挿入孔１２１の上面側に位置する上部筐体１２０に上部ガイドリブ１２２が設けられ、挿入孔１２１の下面側に位置する下部筐体１３０に、下部ガイドリブ１３２が設けられている。上部ガイドリブ１２２および下部ガイドリブ１３２は、挿入孔１２１から、上記隙間Ｓに向かうガイド空間Ｒが徐々に狭くなるように形成されている。また、ガイド空間Ｒと隙間Ｓとの境界には、最終ガイドリブ１３３ｒが形成されている。
【００３１】
このように、上部ガイドリブ１２２、下部ガイドリブ１３２、および、最終ガイドリブ１３３ｒを有するガイド領域を設けて、薄膜シート２２０が、隙間Ｓに向かうガイド空間Ｒを規定することで、挿入孔１２１から、識別表示シート２００を挿入した場合、ガイド空間Ｒおよび最終ガイドリブ１３３ｒにより、図１０に示すように、薄膜シート２２０を確実に隙間Ｓに挿入することができる。
【００３２】
また、識別表示シート２００のキャップ２１０を挿入孔１２１に固定することで、識別表示シート２００の位置決めを行なうこともできる。その結果、薄膜シート２２０に設けられた識別表示領域２２１を、確実に、対応する操作スイッチ１４１ａの上方およびカバーシート１４２の透明窓部１４２ａの下方に位置させることが可能になる。
【００３３】
また、識別表示シート２００はキャップ２１０と薄膜シート２２０とが連結された状態で挿入孔１２１に挿入されているため、キャップ２１０が外部からの衝撃などで挿入孔１２１から抜けそうになった場合に、薄膜シート２２０も連動して挿入孔１２１側にずれる。その結果、薄膜シート２２０に設けられた識別表示領域２２１が対応する操作スイッチ１４１ａの上方およびカバーシート１４２の透明窓部１４２ａの下方の所定位置からずれを生じる。そのため、キャップ２１０の脱落に至らない程度の僅かな位置ずれであっても、容易に識別表示シート２００の挿入孔１２１からの脱落を発見することができる。
【００３４】
以上、本実施の形態おけるプログラマブル表示器１００によれば、薄膜シート２２０を操作スイッチ１４１ａの表面とカバーシート１４２との間の隙間Ｓに挿入した状態において、薄膜シート２２０のカバーシート１４２の透明窓部１４２ａに対向する位置に、インストールされた制御システムに対応する操作スイッチ群１４１に付与された機能を表示しておくことで、透明窓部１４２ａからその機能を直接的に視認することができるため、プログラマブル表示器１００の利用者における利便性を向上させることができる。
【００３５】
また、薄膜シート２２０は、カバーシート１４２により覆われていることから、使用環境が厳しい場合であっても、操作スイッチ群１４１に付与された機能を直接的に確認することができる。また、異なる制御システムがインストールされた場合であっても、薄膜シート２２０は容易に交換することができるため、新たに付与された操作スイッチ群１４１の表示を容易に変更することができる。
【００３６】
また、識別表示シート２００は、薄膜シート２２０に連結され、薄膜シート２２０を隙間Ｓに挿入した状態において挿入孔１２１を塞ぐキャップ２１０を有することから、挿入孔１２１における防水機能および防塵機能を確保しながら、容易に識別表示シート２００の交換を行なうことができる。
【００３７】
また、キャップ２１０をケース本体１１０に挿入し固定することで、ケース本体１１０と薄膜シート２２０との間の位置決めも確実に行なわれ、透明窓部１４２ａと薄膜シート２２０に記載された操作スイッチ群１４１の機能表示との間の位置決めも確実に実現させることができる。
【００３８】
なお、上記実施の形態においては、ケース本体１１０の底面側から識別表示シート２００の交換を行なうことができる構成を採用した場合について説明しているが、底面側からに限定されるものでなく、ケース本体１１０の上面側から、または、側面側から、識別表示シート２００の交換を行なうことができるように、挿入孔１２１をケース本体１１０の上面側または側面側に設ける構成の採用も可能である。
【００３９】
また、識別表示シート２００の構成として、細長の薄膜シート２２０に一列の識別表示領域２２１を設ける場合について説明しているが、薄膜シート２２０の形状、大きさ、材質はあくまでも一例であって、識別表示領域２２１を複数列設ける場合、キャップ２１０を、薄膜シート２２０の短辺側でなく、長辺側に設ける構成の採用も可能である。
【００４０】
また、薄膜シート２２０に識別表示領域２２１を設ける構成は、使用者の使用上の便宜を図るものであることから、例えば、あらかじめ大きさが規格化されたシートに、プリンタ等を用いてファンクション機能を印字する場合には、プリンタ側の位置決め機能により印字箇所が位置決めされることになるため、薄膜シート２２０に識別表示領域２２１を設けない構成の採用も可能である。
【００４１】
また、操作装置の一例として、ハンディタイプのプログラマブル表示器に、本発明を適用した場合について説明したが、同様の機能を有し、識別表示シートの交換が必要な操作装置にあっては、上記と同様の構成を採用することで、上記実施の形態と同様の作用効果を得ることが可能である。
【００４２】
したがって、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００４３】
【図１】この発明に基づいた実施の形態におけるプログラマブル表示器の使用状態を示す全体斜視図である。
【図２】この発明に基づいた実施の形態におけるプログラマブル表示器の外観構成を示す全体斜視図である。
【図３】この発明に基づいた実施の形態におけるプログラマブル表示器において、カバーシートを取り外し、一方の識別表示シートを抜き出した状態での外観構成を示す全体斜視図である。
【図４】この発明に基づいた実施の形態におけるプログラマブル表示器において、カバーシートを取り外し、両方の識別表示シートを抜き出した状態での外観構成を示す全体斜視図である。
【図５】この発明に基づいた実施の形態におけるプログラマブル表示器において、識別表示シートの構造を示す全体斜視図である。
【図６】この発明に基づいた実施の形態におけるプログラマブル表示器において、キャップと薄膜シートとを分離した状態での識別表示シートの構造を示す全体斜視図である。
【図７】図６中のＶＩＩ線矢視におけるキャップ２１０の断面図である。
【図８】図６中のＶＩＩＩ線矢視におけるキャップ２１０の断面図である。
【図９】この発明に基づいた実施の形態におけるプログラマブル表示器において、識別表示シートを取り外した状態における、挿入孔周りにおけるケース本体の内部構造を示す断面図である。
【図１０】この発明に基づいた実施の形態におけるプログラマブル表示器において、識別表示シートを装着した状態における、挿入孔周りにおけるケース本体の内部構造を示す断面図である。
【符号の説明】
【００４４】
１Ｌ  左手、１Ｒ  右手、１００  プログラマブル表示器、１１０  ケース本体、１２０  上部筐体、１２０ｄ  下底、１２１  挿入孔、１２２  上部ガイドリブ、１３０  下部筐体、１３２  下部ガイドリブ、１３３  ベース部材、１３３ｒ  最終ガイドリブ、１４０  操作領域、１４１  操作スイッチ群、１４１ａ  操作スイッチ、１４２  カバーシート、１４２ａ，１４２ｂ  透明窓部、１４３  グラフィック表示画面、１４３ａ  グラフィック表示画面本体、１５０  非常停止スイッチ、２００  識別表示シート、２１０  キャップ、２１１  本体部、２１２  フランジ部、２１３  凹凸部、２１４，２１５  係合爪、２２０  薄膜シート(メンブレンンシート）、２２０ａ，２２０ｂ  係合穴、２２０ｃ  面取領域、２２１  識別表示領域、３００  タッチペン、Ｒ  ガイド空間、Ｓ  隙間。
【図１】
2009099260.tif 000003
【図２】
2009099260.tif 000004
【図３】
2009099260.tif 000005
【図４】
2009099260.tif 000006
【図５】
2009099260.tif 000007
【図６】
2009099260.tif 000008
【図７】
2009099260.tif 000009
【図８】
2009099260.tif 000010
【図９】
2009099260.tif 000011
【図１０】
2009099260.tif 000012